(57)【要約】  【課題】冷蔵室のドア開閉が増加する夏場においても、製氷室の能力を確保でき、さらに野菜室を高湿度に保ち、野菜室に貯蔵する食品の保鮮性を向上する冷蔵庫を提供する。  【解決手段】第１の冷却器１７で冷蔵スライド室５及び冷蔵室７を冷却し、第２の冷却器２０で冷蔵室７以外の製氷室４及び冷凍スライド室６及び野菜室８及び冷凍室９を冷却するようにし、野菜室８に直接冷気を循環させることなく、製氷室４及び冷凍室９からの熱伝達により、間接的に野菜室８内を冷却することにより、夏場、冷蔵スライド室５及び冷蔵室７のドア開閉が増え冷蔵スライド室５及び冷蔵室７に暖湿気が流入しても製氷室４を冷却する第２の冷却器２０は影響を受けず製氷室４の能力を確保することができ、さらに野菜室８内を高湿度に保つことができ、野菜室８内に貯蔵する野菜等の食品の保鮮性を向上させることができる。【選択図】図２
2006250464.tif 000002
【特許請求の範囲】
【請求項１】
冷蔵庫本体と、この本体の上下方向の全高で左右に区分された左区画の上部に冷蔵食品等を貯蔵する扉が引出し扉で構成された冷蔵スライド室と、前記冷蔵庫本体の左区画の下部に設けられた扉が引出し扉で構成された冷凍スライド室と、前記冷蔵スライド室と前記冷凍スライド室の間に設けられた扉が引出し扉で構成された製氷室と、前記冷蔵庫本体の上下方向の全高で左右に区分された右区画の上部に冷蔵食品等を貯蔵する冷蔵室と、前記冷蔵室の下部に設けられた野菜類を貯蔵する野菜室と、前記冷蔵庫本体の右区画の下部に設けられた冷凍室と、前記冷蔵室背面に設置した第１の冷却器と、前記第１の冷却器によって冷却された冷気を前記冷蔵スライド室及び前記冷蔵室に導くための吐出風路及び冷蔵スライド室及び冷蔵室を冷却した冷気を第１の冷却器に戻すための戻り風路を設けた冷蔵室用ダクトと、前記冷凍室の奥に設置した第２の冷却器と、前記第２の冷却器によって冷却された冷気を前記製氷室及び前記冷凍スライド室及び前記冷凍室へ導く吐出風路及び前記製氷室及び前記冷凍スライド室及び前記冷凍室を冷却した冷気を第２の冷却器に戻すための戻り風路を設けた冷凍室用ダクトと、前記製氷室における前記冷凍室用ダクトの吐出風路から導かれた冷気の吐出風路口に冷気の吐出量を制御するダンパーを備え、前記第１の冷却器によって冷却される冷気によって前記冷蔵スライド室及び前記冷蔵室を冷却し、前記第２の冷却器によって冷却される冷気によって前記製氷室及び前記冷凍スライド室及び前記冷凍室を冷却し、さらに前記冷蔵室及び前記製氷室及び前記冷凍スライド室及び前記冷凍室からの熱伝達により、前記野菜室を間接的に冷却することを特徴とする冷蔵庫。
【請求項２】
前記冷蔵スライド室及び前記冷蔵室と前記製氷室及び前記野菜室を仕切り、前記第２の冷却器によって冷却される冷気を流通させる風路を有する仕切り壁を備え、前記第２の冷却器によって冷却される冷気を前記仕切り壁内に流通させることにより、前記野菜室を間接的に冷却することを特徴とする請求項１に記載の冷蔵庫。
【請求項３】
前記野菜室背面に冷却プレートを有することを特徴とする請求項１または２に記載の冷蔵庫。
【請求項４】
前記野菜室上部に冷却プレートを有することを特徴とする請求項１または２に記載の冷蔵庫。
【請求項５】
冷却プレートの材質を高伝導素材としたことを特徴とする請求項３または４に記載の冷蔵庫。
【発明の詳細な説明】
【技術分野】
【０００１】
本発明は、使い勝手を向上する冷蔵庫に関するものである。
【背景技術】
【０００２】
近年、様々なレイアウトの冷蔵庫が発売されている（例えば、特許文献１参照）。
【０００３】
図７は、特許文献１に記載された従来の冷蔵庫を示すものである。図７に示すように冷蔵庫本体１と、この本体の上部に設けられた冷蔵室７と、冷蔵室の下に設けられた切替室３０と、冷蔵室の下で切替室に並列に設けられた製氷室４と、本体下部に設けられた冷凍室９と、並列に設置された切替室及び製氷室と冷凍室の間に設けられた野菜室８と、冷気を生成する冷却器３１と、冷気を各室に供給するファン装置３２とを有し、冷凍室に冷気を供給するための冷凍室用送風路３３と、製氷室に冷気を供給するための製氷室用送風路３４と、製氷室から冷気を冷却器に戻す製氷室用帰還風路３５と、製氷室用送風路を通る冷気の一部を分流させて、切替室に送る切替室用送風路３６と、切替室から冷気を冷却器に戻すための切替室用帰還風路３７と、切替室用送風路を通る冷気の一部を分流させて、冷蔵室に送る冷蔵室用送風路３８と、冷蔵室に送られた冷気を野菜室に戻すための冷蔵室用帰還風路３９と、野菜室に送ら冷気を冷却器に戻すための野菜室用帰還風路４０から構成される。
【特許文献１】特許第３２１２９５４号公報
【発明の開示】
【発明が解決しようとする課題】
【０００４】
しかしながら上記従来の構成では、一つの冷却器で冷蔵庫本体全体の冷却をカバーせねばならず、特に設定温度の高い冷蔵室と野菜室に囲まれた製氷室は冷却能力の確保が困難であり、更に夏場冷蔵室の扉開閉が増えた場合、大量の暖湿気が冷却器に付着することにより冷却器の能力が大幅にダウンし、製氷スピードが落ちるという課題を有していた。また野菜室に直接冷気を循環させて冷却を行うため、野菜室内の湿度が低下し、野菜室内に貯蔵する野菜等の食品の保鮮性が劣化してしまうという課題を有していた。また、ビン類等を保存するスペースが少なく使い勝手が悪いという課題も有していた。
【０００５】
本発明は、上記従来の課題を解決するもので、使い勝手を向上した上で、冷蔵室のドア開閉が増加する夏場においても、製氷室の能力を確保し、さらに野菜室内に貯蔵する野菜等の食品の保鮮性を向上する冷蔵庫を提供することを目的とする。
【課題を解決するための手段】
【０００６】
上記従来の課題を解決するために、本発明の冷蔵庫は、冷蔵庫本体と、この本体の上下方向の全高で左右に区分された左区画の上部に冷蔵食品等を貯蔵する扉が引出し扉で構成された冷蔵スライド室と、前記冷蔵庫本体の左区画の下部に設けられた扉が引出し扉で構成された冷凍スライド室と、前記冷蔵スライド室と前記冷凍スライド室の間に設けられた扉が引出し扉で構成された製氷室と、前記冷蔵庫本体の上下方向の全高で左右に区分された右区画の上部に冷蔵食品等を貯蔵する冷蔵室と、前記冷蔵室の下部に設けられた野菜類を貯蔵する野菜室と、前記冷蔵庫本体の右区画の下部に設けられた冷凍室と、前記冷蔵室背面に設置した第１の冷却器と、前記第１の冷却器によって冷却された冷気を前記冷蔵スライド室及び前記冷蔵室に導くための吐出風路及び冷蔵スライド室及び冷蔵室を冷却した冷気を第１の冷却器に戻すための戻り風路を設けた冷蔵室用ダクトと、前記冷凍室の奥に設置した第２の冷却器と、前記第２の冷却器によって冷却された冷気を前記製氷室及び前記冷凍スライド室及び前記冷凍室へ導く吐出風路及び前記製氷室及び前記冷凍スライド室及び前記冷凍室を冷却した冷気を第２の冷却器に戻すための戻り風路を設けた冷凍室用ダクトと、前記製氷室における前記冷凍室用ダクトの吐出風路から導かれた冷気の吐出風路口に冷気の吐出量を制御するダンパーを備え、前記第１の冷却器によって冷却される冷気によって前記冷蔵スライド室及び前記冷蔵室を冷却し、前記第２の冷却器によって冷却される冷気によって前記製氷室及び前記冷凍スライド室及び前記冷凍室を冷却し、さらに前記冷蔵室及び前記製氷室及び前記冷凍スライド室及び前記冷凍室からの熱伝達により、前記野菜室を間接的に冷却するものである。
【０００７】
これによって、ビン類等を保存するスペースを確保できるとともに、第１の冷却器で冷蔵スライド室及び冷蔵室を冷却し、第２の冷却器で冷蔵スライド室及び冷蔵室以外の製氷室及び冷凍スライド室及び冷凍室を冷却するようにしたことにより、夏場冷蔵室のドア開閉が増え冷蔵室に暖湿気が流入しても製氷室を冷却する第２の冷却器は影響を受けず製氷室の能力を確保することができる。さらに野菜室に直接冷気を循環させることなく、製氷室及び冷凍室及び冷蔵室用ダクトからの熱伝達により、間接的に野菜室内を冷却するため、野菜室内を高湿度に保つことができ、野菜室内に貯蔵する野菜等の食品の保鮮性を向上させることができる。
【発明の効果】
【０００８】
本発明の冷蔵庫は、使い勝手を向上できるとともに、夏場、冷蔵スライド室及び冷蔵室のドア開閉が増え冷蔵室に暖湿気が流入しても製氷室を冷却する第２の冷却器は影響を受けず製氷室の能力を確保することができる。また、野菜室内を高湿度に保つことができ、野菜室内に貯蔵する野菜等の食品の保鮮性を向上させることができる。
【発明を実施するための最良の形態】
【０００９】
請求項１に記載の発明は、冷蔵庫本体と、この本体の上下方向の全高で左右に区分された左区画の上部に冷蔵食品等を貯蔵する扉が引出し扉で構成された冷蔵スライド室と、前記冷蔵庫本体の左区画の下部に設けられた扉が引出し扉で構成された冷凍スライド室と、前記冷蔵スライド室と前記冷凍スライド室の間に設けられた扉が引出し扉で構成された製氷室と、前記冷蔵庫本体の上下方向の全高で左右に区分された右区画の上部に冷蔵食品等を貯蔵する冷蔵室と、前記冷蔵室の下部に設けられた野菜類を貯蔵する野菜室と、前記冷蔵庫本体の右区画の下部に設けられた冷凍室と、前記冷蔵室背面に設置した第１の冷却器と、前記第１の冷却器によって冷却された冷気を前記冷蔵スライド室及び前記冷蔵室に導くための吐出風路及び冷蔵スライド室及び冷蔵室を冷却した冷気を第１の冷却器に戻すための戻り風路を設けた冷蔵室用ダクトと、前記冷凍室の奥に設置した第２の冷却器と、前記第２の冷却器によって冷却された冷気を前記製氷室及び前記冷凍スライド室及び前記冷凍室へ導く吐出風路及び前記製氷室及び前記冷凍スライド室及び前記冷凍室を冷却した冷気を第２の冷却器に戻すための戻り風路を設けた冷凍室用ダクトと、前記製氷室における前記冷凍室用ダクトの吐出風路から導かれた冷気の吐出風路口に冷気の吐出量を制御するダンパーを備え、前記第１の冷却器によって冷却される冷気によって前記冷蔵スライド室及び前記冷蔵室を冷却し、前記第２の冷却器によって冷却される冷気によって前記製氷室及び前記冷凍スライド室及び前記冷凍室を冷却し、さらに前記冷蔵室及び前記製氷室及び前記冷凍スライド室及び前記冷凍室からの熱伝達により、前記野菜室を間接的に冷却するものであり、ビン類等を保存するスペースを確保でき、使い勝手を向上できるとともに、第１の冷却器で冷蔵スライド室及び冷蔵室を冷却し、第２の冷却器で冷蔵スライド室及び冷蔵室以外の製氷室及び冷凍スライド室及び冷凍室を冷却するようにしたことにより、夏場冷蔵室のドア開閉が増え冷蔵室に暖湿気が流入しても製氷室を冷却する第２の冷却器は影響を受けず製氷室の能力を確保することができる。さらに野菜室に直接冷気を循環させることなく、製氷室及び冷凍室及び冷蔵室用ダクトからの熱伝達により、間接的に野菜室内を冷却するため、野菜室内を高湿度に保つことができ、野菜室内に貯蔵する野菜等の食品の保鮮性を向上させることができる。
【００１０】
請求項２に記載の発明は、請求項１に記載の発明において、前記冷蔵スライド室及び前記冷蔵室と前記製氷室及び前記野菜室を仕切り、前記第２の冷却器によって冷却される冷気を流通させる風路を有する仕切り壁を備え、前記第２の冷却器によって冷却される冷気を前記仕切り壁内に流通させることにより、前記野菜室を間接的に冷却するものであり、野菜室上部に設置される仕切り壁内を循環する冷気からの熱伝達により、効率良く、間接的に野菜室内を冷却するため、野菜室内を高湿度に保つことができ、野菜室内に貯蔵する野菜等の食品の保鮮性を向上させることができる。
【００１１】
請求項３に記載の発明は、請求項１または２に記載の発明において、前記野菜室背面に冷却プレートを有するものであり、前記冷凍室の奥に設置した第２の冷却器の冷熱を、野菜室背面の冷却プレートを介して効率よく野菜室内に伝えることができ、野菜室に直接冷気を循環させることなく、間接的に野菜室内を冷却するため、野菜室内を高湿度に保つことができ、野菜室内に貯蔵する野菜等の食品の保鮮性を向上させることができる。
【００１２】
請求項４に記載の発明は、請求項１または２に記載の発明において、前記野菜室上部に冷却プレートを有するものであり、野菜室左部に位置する製氷室及び冷凍スライド室及び野菜室下部に位置する冷凍室及び仕切り壁内を循環する冷気の冷熱を野菜室上部の冷却プレートを介して効率よく野菜室内に伝えることができ、野菜室に直接冷気を循環させることなく、間接的に野菜室内を冷却するため、野菜室内を高湿度に保つことができ、野菜室内に貯蔵する野菜等の食品の保鮮性を向上させることができる。
【００１３】
請求項５に記載の発明は、請求項３または４に記載の発明において、冷却プレートの材質を高伝導素材としたものであり、さらに野菜室の保鮮性を効率良く高めることができる。
【００１４】
以下、本発明の実施の形態について、図面を参照しながら説明する。なお、この実施の形態によってこの発明が限定されるものではない。
【００１５】
（実施の形態１）
図１は本発明の実施の形態１における冷蔵庫の正面図である。図２は本発明の実施の形態１における冷蔵庫の風路を示す正面図である。図３は本発明の実施の形態１における冷蔵庫の断面図である。
【００１６】
図１に示すように、１は冷蔵庫本体であり、冷蔵庫本体１は、上下方向の全高で左右に分断された左区画２と、右区画３に区画されている。左区画２は中央付近に製氷室４が配置され、製氷室４の上方には引出し扉で構成された冷蔵スライド室５を、製氷室４の下方には引出し扉で構成された冷凍スライド室６が配置されている。
【００１７】
一方、右区画３には、上から冷蔵室７、野菜室８、冷凍室９が配置されていて、それぞれの部屋の前面開口は扉により塞がれている。なお、冷蔵スライド室５と冷蔵室７は上下方向の同一線上で区画されているが、冷蔵スライド室５の高さと、冷蔵室７の高さが違う、すなわち段差がつくよう構成されていても構わない。
【００１８】
図２、３において、２１は第１の仕切り壁であり、冷蔵スライド室５及び冷蔵室７と製氷室４及び野菜室８を仕切っている。２２は第２の仕切り壁であり、製氷室４と冷凍スライド室６を仕切っている。２３は第３の仕切り壁であり、野菜室８と冷凍室９を仕切っている。１７は第１の冷却器であり冷蔵室背面に設置される。１８は冷蔵室冷却用ダクトであり、第１の冷却器１７によって冷却された冷気を冷蔵室７及び冷蔵スライド室５に導くための冷蔵室用吐出風路１８ａと冷蔵スライド室５及び冷蔵室７を冷却した冷気を第１の冷却器１７に戻すための冷蔵室用戻り風路１８ｂを有しており、第１の冷却器１７の前に設置される。１９は冷蔵室用冷却ファンであり第１の冷却器１７で発生した冷気を循環させる。２０は第２の冷却器であり、冷凍室９の奥に設置される。２４は冷凍室用ダクトであり、第２の冷却器２０で冷却された冷気を製氷室４及び冷凍スライド室６及び冷凍室９へ導く冷凍系吐出風路２４ａと製氷室４及び冷凍スライド室６及び冷凍室９を冷却した冷気を第２の冷却器２０に戻すための冷凍室用戻り風路２４ｂを有しており、第２の冷却器２０の前に設置される。２５は冷凍室用冷却ファンであり、第２の冷却器２０で発生した冷気を循環させる。２６は高伝導性素材、例えばアルミを材質とした冷却プレートであり、野菜室８の背面に設置される。２７は冷気の吐出量を制御するダンパーであり、製氷室の吐出風路口に設置される。
【００１９】
以上のように構成された冷蔵庫について、以下その動作、作用について説明する。第１の冷却器１７によって冷却される冷気を直接循環させることによって冷蔵スライド室５及び冷蔵室７を冷却し、第２の冷却器２０によって冷却される冷気を直接循環させることによって製氷室４及び冷凍スライド室６及び冷凍室９を冷却し、さらに冷蔵室７及び製氷室４及び冷凍スライド室６及び冷凍室９からの熱伝達と、冷却プレート２６を介する第２の冷却器２０からの熱伝達により、野菜室８を間接的に冷却することにより、第１の冷却器１７で冷蔵スライド室５及び冷蔵室７を冷却し、第２の冷却器２０で製氷室４及び冷凍スライド室６及び冷凍室９を冷却するようにしたことにより、夏場、冷蔵スライド室５及び冷蔵室９のドア開閉が増え、冷蔵スライド室５及び冷蔵室７に暖湿気が流入しても製氷室４を冷却する第２の冷却器２０は影響を受けず製氷室４の能力を確保することができる。さらに野菜室８に直接冷気を循環させることなく、冷蔵室７及び製氷室４及び冷凍スライド室６及び冷凍室９からの熱伝達により、間接的に野菜室内を冷却するため、野菜室内を高湿度に保つことができ、野菜室内に貯蔵する野菜等の食品の保鮮性を向上させることができる。また、冷蔵スライド室５を備えたことにより、ビン類等を保存するスペースを確保でき、使い勝手を向上できる。
【００２０】
（実施の形態２）
図１は本発明の実施の形態２における冷蔵庫の正面図である。図４は本発明の実施の形態２における冷蔵庫の風路を示す正面図である。図５は本発明の実施の形態２における冷蔵庫の断面図である。図６は本発明の実施の形態２における冷蔵庫の冷凍室用ダクトおよび第１の仕切り壁を上部からみた図である。
【００２１】
図１の説明は実施の形態１と同様であるため省略する。図４、図５、図６において、２１は第１の仕切り壁であり、専用の冷却風路２８が設けられており、冷蔵スライド室５及び冷蔵室７と製氷室４及び野菜室８を仕切っている。２２は第２の仕切り壁であり、製氷室４と冷凍スライド室６を仕切っている。２３は第３の仕切り壁であり、野菜室８と冷凍室９を仕切っている。１７は第１の冷却器であり冷蔵室背面に設置される。１８は冷蔵室冷却用ダクトであり、第１の冷却器１７によって冷却された冷気を冷蔵スライド室５及び冷蔵室７に導くための冷蔵室用吐出風路１８ａと冷蔵スライド室５及び冷蔵室７を冷却した冷気を第１の冷却器１７に戻すための冷蔵室用戻り風路１８ｂを有しており、第１の冷却器１７の前に設置される。１９は冷蔵室用冷却ファンであり第１の冷却器１７で発生した冷気を循環させる。２０は、第２の冷却器であり、冷凍室９の奥に設置される。２４は冷凍室用ダクトであり、第２の冷却器２０で冷却された冷気を製氷室４及び冷凍スライド室６及び冷凍室９及び第１の仕切り壁２１内に設けられた専用の冷却風路２８へ導く冷凍系吐出風路２４ａと製氷室４及び冷凍スライド室６及び冷凍室９を冷却した冷気及び第１の仕切り壁２１内に設けられた専用の冷却風路２８内を循環した冷気を第２の冷却器２０に戻すための冷凍室用戻り風路２４ｂを有しており、第２の冷却器２０の前に設置される。２５は冷凍室用冷却ファンであり、第２の冷却器２０で発生した冷気を循環させる。２６は高伝導性素材、例えばアルミを材質とした冷却プレートであり、野菜室８の上部に設置される。２７は冷気の吐出量を制御するダンパーであり、製氷室の吐出風路口に設置される。
【００２２】
以上のように構成された冷蔵庫について、以下その動作、作用について説明する。第１の冷却器１７によって冷却される冷気を直接循環させることによって冷蔵スライド室５及び冷蔵室７を冷却し、第２の冷却器２０によって冷却される冷気を直接循環させることによって製氷室４及び冷凍スライド室６及び冷凍室９を冷却し、さらに野菜室上部に設置される第１の仕切り壁２１内に設けられた専用の冷却風路２８を循環する冷気から冷却プレート２６を介する熱伝達により、効率良く、間接的に野菜室内を冷却するため、第１の冷却器１７で冷蔵スライド室５及び冷蔵室７を冷却し、第２の冷却器２０で製氷室４及び冷凍スライド室６及び冷凍室９を冷却するようにしたことにより、夏場、冷蔵室７のドア開閉が増え冷蔵スライド室５及び冷蔵室７に暖湿気が流入しても製氷室４を冷却する第２の冷却器２０は影響を受けず製氷室４の能力を確保することができる。さらに野菜室８に直接冷気を循環させることなく、野菜室上部に設置される第１の仕切り壁２１内に設けられた専用の冷却風路２８を循環する冷気から冷却プレート２６を介する熱伝達により、効率良く、間接的に野菜室内を冷却するため、野菜室内を高湿度に保つことができ、野菜室内に貯蔵する野菜等の食品の保鮮性を向上させることができる。
【産業上の利用可能性】
【００２３】
以上のように、本発明にかかる冷蔵庫は、第１の冷却器で前記冷蔵スライド室及び前記冷蔵室を冷却し、第２の冷却器で冷蔵スライド室及び冷蔵室以外の前記製氷室及び前記冷凍スライド室及び前記冷凍室及び前記野菜室を冷却するようにし、野菜室に直接冷気を循環させることなく、冷蔵室及び製氷室及び冷凍スライド室及び冷凍室からの熱伝達により間接的に野菜室内を冷却することにより、夏場、冷蔵スライド室及び冷蔵室のドア開閉が増え冷蔵スライド室及び冷蔵室に暖湿気が流入しても製氷室を冷却する第２の冷却器は影響を受けず製氷室の能力を確保することができ、さらに野菜室内を高湿度に保つことができ、野菜室内に貯蔵する野菜等の食品の保鮮性を向上させることが可能となるので、冷凍機器全般の冷却方法の用途にも適用できる。
【図面の簡単な説明】
【００２４】
【図１】本発明の実施の形態１における冷蔵庫の正面図
【図２】本発明の実施の形態１における冷蔵庫の風路を示す正面図
【図３】本発明の実施の形態１における冷蔵庫の断面図
【図４】本発明の実施の形態２における冷蔵庫の風路を示す正面図
【図５】本発明の実施の形態２における冷蔵庫の断面図
【図６】本発明の実施の形態２における冷蔵庫の冷凍室用ダクト及び第１の仕切り壁を上部からみた図
【図７】従来の冷蔵庫の風路を示す正面図
【符号の説明】
【００２５】
１    冷蔵庫本体
４    製氷室
５    冷蔵スライド室
６    冷凍スライド室
７    冷蔵室
８    野菜室
９    冷凍室
１７  第１の冷却器
１８  冷蔵室用ダクト
１８ａ  冷蔵室用吐出風路
１８ｂ  冷蔵室用戻り風路
１９  冷蔵室用冷却ファン
２０  第２の冷却器
２１  第１の仕切り壁
２２  第２の仕切り壁
２３  第３の仕切り壁
２４  冷凍室用ダクト
２４ａ  冷凍室用吐出風路
２４ｂ  冷凍室用戻り風路
２５  冷凍室用冷却ファン
２６  冷却プレート
２７  ダンパー
２８  冷却風路
【図１】
2006250464.tif 000003
【図２】
2006250464.tif 000004
【図３】
2006250464.tif 000005
【図４】
2006250464.tif 000006
【図５】
2006250464.tif 000007
【図６】
2006250464.tif 000008
【図７】
2006250464.tif 000009